(57)【特許請求の範囲】
【請求項１】
中央に立設された環状壁の内側に押下操作で機能するプッシュスイッチ部を有し、そのプッシュスイッチ部の周囲に同心で、かつ同一円周上に、中点復帰式回転型スイッチ部用の共通接点およびそれとは電気的に独立した一つ以上の信号用接点が配設された上方開口のスイッチケースと、前記中点復帰式回転型スイッチ部用の各接点上を摺接する接触部を有した摺動子を備え、中央部が円形の嵌合孔となった環状部とその環状部から側方に突出した操作突部を有し、前記スイッチケースの環状壁に前記嵌合孔が外嵌され、前記スイッチケースの外周壁に設けられた切欠き部から側方に突出した前記操作突部で回動可能とされた回転体と、この回転体の環状部上面に設けられた凹状のバネ装着溝に巻回部が組み込まれ、巻きの両端部が前記環状部の凹状を形成する外壁に設けられた係止用切欠き部および前記スイッチケースの前記外周壁に設けられたバネ受け段部のそれぞれに弾接係止されたコイルバネと、中央位置に開口部を有し、前記回転体の上方への移動を規制するように上面を覆うようにして前記スイッチケースに取り付けられた平板金属製のカバーとからなる複合操作型スイッチ。
【請求項２】
回転体のバネ装着溝上端部にコイルバネの上方への移動を規制する突起を設けた請求項１記載の複合操作型スイッチ。
【発明の詳細な説明】
【技術分野】
【０００１】
本発明は、携帯電話機やデジタルスチルカメラ（ＤＳＣ）などの携帯用電子機器に主として使用され、プッシュスイッチと中点復帰式回転型スイッチとを併有し、個々に操作が可能な複合操作型スイッチに関するものである。
【背景技術】
【０００２】
近年、携帯用電子機器に搭載されて各種制御を担うスイッチについては、セットの小型化、薄型化に伴って、小型、薄型化された多機能なスイッチが求められている。
【０００３】
そのような多機能なスイッチとして、プッシュスイッチと中点復帰式回転型スイッチを併有した従来の複合操作型スイッチについて、図６〜図９を用いて説明する。
【０００４】
図６は従来の複合操作型スイッチの分解斜視図、図７は同外観図、図８は図７のＱ−Ｑ線の断面図、図９はスイッチケースの平面図である。
【０００５】
同図において、１は中央部に環状壁１Ａが立設された上方開口の絶縁樹脂製のスイッチケースで、このスイッチケース１の環状壁１Ａ内にはプッシュスイッチ部用の第１接点２が配設されている。また、前記環状壁１Ａの外側には中点復帰式回転型スイッチ部用の第２接点３が配設されている。
【０００６】
そして、前記第１接点２は、環状壁１Ａ内の中央に配された中央接点２Ａとその周辺に配された周辺接点２Ｂから構成されており、中央接点２Ａはスイッチケース１の外方に延設された端子４Ａと繋がって導出され、周辺接点２Ｂは端子４Ｂと繋がって導出されている。
【０００７】
そして、前記第２接点３は、前記環状壁１Ａの外側に略Ｔ字状に配された共通接点３Ａとこの共通接点３Ａを挟む対称位置の両側に配された信号用接点３Ｂ，３Ｃから構成されている。その配置状態は、前記環状壁１Ａに沿って内周側に共通接点３Ａが位置し、外周側に信号用接点３Ｂ，３Ｃが位置しており、共通接点３Ａと信号用接点３Ｂ，３Ｃとは、同心円状に異なる径で平行関係に配置されている。
【０００８】
そして、前記共通接点３Ａは端子５Ａと繋がり、信号用接点３Ｂ，３Ｃは端子５Ｂ，５Ｃと繋がって、これらの端子５Ａ〜５Ｃも、前記端子４Ａ，４Ｂが延設されたスイッチケース１の同じ側方へ導出されている。
【０００９】
そして、前記環状壁１Ａ内には、外周下端が周辺接点２Ｂに接するようにして、上方に膨らんだドーム形状の弾性薄板金属製の可動接点６が載置され、その上部に、鍔部７Ａを境として上面に操作部７Ｂ、下面に接点押圧部７Ｃがそれぞれ突設された駆動体７が載せられている。
【００１０】
そして、８は両端部がそれぞれ側方に延出されたコイルバネで、前記スイッチケース１の環状壁１Ａを挟んで前記第２接点３とは反対側の位置にスイッチケース１の内底面に立設されたボス１Ｂに対してその中空部が挿通され、それぞれの対応位置に突設されたストッパ１Ｃにより前記両端部が各々規制されてスイッチケース１に取り付けられている。
【００１１】
そして、９は円板部の中央に下方が拡径した段付中孔９Ａを有した回転体で、その円板部の外径は、前記スイッチケース１の開口部分を構成する外周壁１Ｄの内側に収まる大きさに設定されている。この回転体９の下面には、前記第２接点３（３Ａ，３Ｂ，３Ｃ）上を摺動する摺動子１０が取り付けられている。この摺動子１０は、共通の根元部分から伸びる接触部１０Ａ，１０Ｂとして、内周側に配された共通接点３Ａ上に常接状態で摺動する接触部１０Ａと外周側の信号用接点３Ｂ，３Ｃ上を摺動する接触部１０Ｂとを有し、回転操作されていない通常状態では、外周側の接触部１０Ｂは二つの信号用接点３Ｂ，３Ｃに挟まれたＴ字状の共通接点３Ａ上に位置している。
【００１２】
そして、前記段付中孔９Ａの拡径した下方部分は下方に突出した支持筒９Ｂとして形成されており、この支持筒９Ｂが前記環状壁１Ａに外嵌されて前記スイッチケース１に対して回転自在に支持されている。そして、円板部下面に設けられた一対の作動突起９Ｃ（図９に斜線を付して示す）が、前記コイルバネ８の両端部それぞれに当接している。
【００１３】
また、回転体９の上面には操作つまみ（図示せず）を取り付けるための半円状の一対の取付壁９Ｄが前記段付中孔９Ａを囲むように形成されている。
【００１４】
そして、回転体９の段付中孔９Ａの段部が、前記環状壁１Ａ内で可動接点６上に載せられた駆動体７の鍔部７Ａ上面に当接しており、可動接点６および駆動体７の上方への移動を規制している。
【００１５】
そして、１１は中央に開口部１１Ａを有した平板金属製のカバーで、その開口部１１Ａから前記回転体９の取付壁９Ｄおよび前記駆動体７の操作部７Ｂを上方に突出させるようにして、スイッチケース１上面に取り付けられている。
【００１６】
以上のように従来の複合操作型スイッチは構成され、次にその動作について説明する。
【００１７】
まず、プッシュスイッチ部の動作としては、駆動体７の操作部７Ｂを押圧すると、接点押圧部７Ｃが可動接点６を押し下げ、ドーム形状部分が下方突形に弾性変形して中央接点２Ａと接触し、端子４Ａ，４Ｂ間がオンとなる。
【００１８】
そして、操作部７Ｂへの押圧力を解除すると、可動接点６自体の弾性復元力によりドーム形状が元の上方突形に復元して可動接点６は中央接点２Ａから離間すると共に、駆動体７の接点押圧部７Ｃを上方に付勢して元の位置に押し戻すと共に、端子４Ａ，４Ｂ間がオンとなる。このように当該プッシュスイッチ部は、押圧力を加えた時にのみオンする所謂プッシュオンタイプのスイッチである。
【００１９】
一方、中点復帰式回転型スイッチ部の動作としては、回転体９を時計回り方向に回転操作すると、その下面の一対の作動突起９Ｃも同一方向に移動する。このとき、図９中で左側に表記した一方の作動突起９Ｃはコイルバネ８の当接した一方の端部を同図中に点線で示すように撓ませていく。また、それと共に、摺動子１０も摺動していき、その内周側の接触部１０Ａが共通接点３Ａ上を、また外周側の接触部１０Ｂは一方の信号用接点３Ｂ上の位置まで移動し、共通接点３Ａと信号用接点３Ｂとの間、つまり端子５Ａ，５Ｂの間が導通したオン状態となる。
【００２０】
そして、その回転操作力を解除すると、前記コイルバネ８の弾発付勢力により、同図中で左側に表記した一方の作動突起９Ｃが押し戻されて回転体９が元の角度位置に戻る。これにより、摺動子１０の摺動部１０Ｂも信号用接点３Ｂ上から外れて共通接点３Ａ上に戻り、元の端子５Ａ，５Ｂ間のオフ状態に戻る。
【００２１】
また、回転体９を逆方向に回転操作すると、他方の作動突起９Ｃがコイルバネ８の他方の端部を撓ませ、摺動子１０の内周側の接触部１０Ａが共通接点３Ａ上を、また外周側の接触部１０Ｂは他方の信号用接点３Ｃ上へ摺動移動して、端子５Ａ，５Ｃの間がオン状態となり、回転操作力を解除すると、コイルバネ８の弾発付勢力により、元の角度位置に回転体９が戻され、スイッチもオフ状態となる。
【００２２】
このように従来の複合操作型スイッチは、中央を下方側に押圧した時にのみ機能するプッシュスイッチ部と、回転操作により機能し、その回転操作力を解除すれば元の中点位置に自己復帰する中点復帰式回転型スイッチ部とを併有した構成のものであった。
【００２３】
なお、この出願の発明に関連する先行技術文献情報としては、例えば、特許文献１が知られている。
【特許文献１】実開平３−８２５３５号公報
【発明の開示】
【発明が解決しようとする課題】
【００２４】
前記従来の複合操作型スイッチは、回転体９の上面に立設された取付壁９Ｄに操作つまみを装着して中点復帰式回転型スイッチ部を操作する構成であったため、プッシュスイッチ部と共にその上面側に両方のスイッチの操作部が配置されることとなる。
【００２５】
一方、近年の携帯用電子機器の操作用に使用されるスイッチは電子機器の端部位置に搭載されることも多くなり、上面側操作のスイッチと側面側操作のスイッチとを併有したスイッチが望まれ、前記従来品ではその要望に対応し難く、さらにその形態であって外形の小さいものへの要望が機器メーカーから高まっていた。
【００２６】
本発明は、このような従来の課題を解決するものであり、プッシュスイッチ部と中点復帰式回転型スイッチ部を併有し、中点復帰式回転型スイッチ部は、プッシュスイッチ部の操作方向と直交する面内で回転操作する形態で、かつ外形の小型化と薄型化が図られた複合操作型スイッチを提供することを目的とする。
【課題を解決するための手段】
【００２７】
上記目的を達成するために本発明は、以下の構成を有するものである。
【００２８】
本発明の請求項１に記載の発明は、中央に立設された環状壁の内側に押下操作で機能するプッシュスイッチ部を有し、そのプッシュスイッチ部の周囲に同心で、かつ同一円周上に、中点復帰式回転型スイッチ部用の共通接点およびそれとは電気的に独立した一つ以上の信号用接点が配設された上方開口のスイッチケースと、前記中点復帰式回転型スイッチ部用の各接点上を摺接する接触部を有した摺動子を備え、中央部が円形の嵌合孔となった環状部とその環状部から側方に突出した操作突部を有し、前記スイッチケースの環状壁に前記嵌合孔が外嵌され、前記スイッチケースの外周壁に設けられた切欠き部から側方に突出した前記操作突部で回動可能とされた回転体と、この回転体の環状部上面に設けられた凹状のバネ装着溝に巻回部が組み込まれ、巻きの両端部が前記環状部の凹状を形成する外壁に設けられた係止用切欠き部および前記スイッチケースの前記外周壁に設けられたバネ受け段部のそれぞれに弾接係止されたコイルバネと、中央位置に開口部を有し、前記回転体の上方への移動を規制するように上面を覆うようにして前記スイッチケースに取り付けられた平板金属製のカバーとからなる複合操作型スイッチであり、プッシュスイッチ部と中点復帰式回転型スイッチ部を併有し、中点復帰式回転型スイッチ部は、プッシュスイッチ部の操作方向と直交する面内で回転操作が可能で、かつ回転型スイッチ部用の各接点を同一円周上に配置したので径方向の小型化と薄型化が実現された複合操作型スイッチを提供することができるという作用を有する。
【００２９】
請求項２に記載の発明は、請求項１記載の発明において、回転体のバネ装着溝上端部にコイルバネの上方への移動を規制する突起を設けたものであり、回転体の凹状のバネ装着溝内にコイルバネを収容装着した際、前記突起によって、コイルバネを回転体に組み合わせて一体とした仕掛かり状態で維持できるため、組み立て作業性が良好になるという作用を有する。
【発明の効果】
【００３０】
以上のように本発明によれば、プッシュスイッチ部と中点復帰式回転型スイッチ部を併有し、中点復帰式回転型スイッチ部は、プッシュスイッチ部の操作方向と直交する面内で回転操作が可能で、かつ小型化、薄型化が実現された複合操作型スイッチを提供することができるという有利な効果が得られる。
【発明を実施するための最良の形態】
【００３１】
以下、本発明の実施の形態について、図１〜図５を用いて説明する。
【００３２】
なお、従来の技術の項で説明した構成と同一構成の部分には同一符号を付して、詳細な説明を簡略化する。
【００３３】
（実施の形態）
図１は本発明の一実施の形態による複合操作型スイッチの分解斜視図、図２は同外観図、図３は図２のＰ−Ｐ線の断面図、図４は同スイッチケースの平面図、図５は同回転体の平面図である。
【００３４】
同図において、２１は、中央部に円形リング状の環状壁２１Ａが設けられた絶縁樹脂からなる略円形で上方が開口したスイッチケースで、その環状壁２１Ａ内には中央接点２２Ａと周辺接点２２Ｂからなるプッシュスイッチ部用の第１接点２２が配設され、環状壁２１Ａと外周壁２１Ｂとで挟まれた開口底部に共通接点２３Ａ，２３Ｂと信号用接点２３Ｃ，２３Ｄからなる中点復帰式回転型スイッチ部用の第２接点２３が配設されている。前記第１接点２２の中央接点２２Ａ、周辺接点２２Ｂは端子２４Ａ、端子２４Ｂと繋がり、前記第２接点２３の共通接点２３Ａ，２３Ｂは端子２５Ａ，２５Ｂと、また信号用接点２３Ｃ，２３Ｄは端子２５Ｃ，２５Ｄとそれぞれ繋がって、各端子はスイッチケース２１の外方へ導出されている。
【００３５】
そして、前記中点復帰式回転型スイッチ部用の第２接点２３（２３Ａ，２３Ｂ，２３Ｃ，２３Ｄ）は、図４に示すように、それぞれ所定の間隔をあけて配置されており、隣り合って配された互いに独立した信号用接点２３Ｃ，２３Ｄを挟むようにその外側に共通接点２３Ａ，２３Ｂが位置し、上面視時計回りで、共通接点２３Ｂ、信号用接点２３Ｄ、信号用接点２３Ｃ、共通接点２３Ａの順に、同一円周上で、ほぼ半円周部分に配置されている。
【００３６】
なお、スイッチケース２１の内底面の２ヶ所に露出された前記共通接点２３Ａと２３Ｂは、その間がスイッチケース２１底部に埋設固定された円弧状の連結部２３Ｅで繋がれている。このため、両者は電気的に導通しており実質的には一体となった一つの接点として機能している。また、共通接点２３Ａ，２３Ｂに対し、個々の信号用接点２３Ｃ，２３Ｄは電気的に独立している。
【００３７】
そして、前記環状壁２１Ａ内には、従来同様にドーム形状の弾性薄板金属からなる可動接点６の外周下端が周辺接点２２Ｂ上に載置されると共に、可動接点６上に駆動体７が配されてプッシュスイッチ部が構成されている。
【００３８】
２６は、中央部が円形の嵌合孔２６Ａとなった環状部２６Ｂとその環状部２６Ｂから側方に突出した操作突部２６Ｃを有した絶縁樹脂製の回転体で、前記スイッチケース２１の環状壁２１Ａに嵌合孔２６Ａが外嵌されて、回動可能に組み合わせられている。この操作突部２６Ｃは、スイッチケース２１の外周壁２１Ｂに設けられた切欠き部２１Ｃからスイッチケース２１の側方に突出しており、当該部位が中点復帰式回転型スイッチ部の操作用部分としてなる。
【００３９】
また、回転体２６は、図５に示すように、環状部２６Ｂにインサート成形で固定された良導電性の薄板金属からなる摺動子２７を備えている。この摺動子２７は、前記操作突部２６Ｃと反対側に位置し、インサート固定位置から環状部２６Ｂに沿って左右２方向に延出された弾性アームが、回転体２６に設けられた貫通孔を介して下方に向けて曲げ形成された接触部２７Ａ，２７Ｂを有している。
【００４０】
この２つの接触部２７Ａ，２７Ｂは、図４に斜線を付して示すように、回転体２６に操作力が加わっていない通常状態では、前記スイッチケース２１の開口底部に配設された共通接点２３Ａと信号用接点２３Ｃとの間に一方の接触部２７Ａが弾接して位置し、信号用接点２３Ｄと共通接点２３Ｂとの間に他方の接触部２７Ｂが弾接して位置している。なお、共通接点２３Ａ，２３Ｂと２つの信号用接点２３Ｃ，２３Ｄとの間の位置は前記スイッチケース２１の開口底部からなり電気的に絶縁状態の部位となっている。
【００４１】
そして、２８は、巻回部２８Ａの径の大きさが前記回転体２６の環状部２６Ｂの径とほぼ同じ大きさで略１．５巻きに巻回されたコイルバネで、環状部２６Ｂ上面に設けられた凹状のバネ装着溝２６Ｄに前記巻回部２８Ａが組み込まれ、その巻回部２８Ａから外向きに、くの字状に曲げられた両方の端部２８Ｂは、撓められて、環状部２６Ｂの凹状を形成する外壁に設けられた係止用切欠き部２６Ｅに弾発係止されると共に、スイッチケース２１に組み合わされた状態では、スイッチケース２１の外周壁２１Ｂに設けられた２ヶ所のバネ受け段部２１Ｄにも当接している。コイルバネ２８は、両方の端部２８Ｂが操作突部２６Ｃ側に位置し、しかも端部２８Ｂどうしは、その操作突部２６Ｃを中心とした対称の角度位置で、前記状態にて係止されている。
【００４２】
さらに、回転体２６の環状部２６Ｂには、その弾発力によりコイルバネ２８の巻回部２８Ａがバネ装着溝２６Ｄから外れないように、バネ装着溝２６Ｄの上部にコイルバネ２８の上方への移動を規制する係止突起２６Ｆが２ヶ所設けられている。これによってコイルバネ２８と回転体２６とは一体となった仕掛かり状態で取り扱えるようにでき、組み立て作業性が良好なものにできる。
【００４３】
その組み立て時には、コイルバネ２８は、巻き方向の力を加えて撓ませながら、その巻回部２８Ａを環状部２６Ｂのバネ装着溝２６Ｄに収容させ、前記くの字状の端部２８Ｂそれぞれを２ヶ所の係止用切欠き部２６Ｅに係止させて回転体２６に装着させる。このため、操作突部２６Ｃ側に対応する巻回部２８Ａの巻きが２重となったコイルバネ２８部分が、バネ装着溝２６Ｄを構成する壁部の嵌合孔２６Ａ側に弾接して、巻きが２重となった側の巻回部２８Ａが上方へ移動しようとする力が働くので、その移動を規制するように係止突起２６Ｆは、操作突部２６Ｃ側に相当する嵌合孔２６Ａ側の壁部上部で、かつ操作突部２６Ｃを中心とする対称角度位置の各々に設けている。
【００４４】
そして、２９は回転体２６の上方への移動を規制するように回転体２６の上方から重ねて配された平板金属からなるカバーであり、その外縁から垂下した３ヶ所の脚部２９Ａ先端でスイッチケース２１を抱き込むようにかしめられて取り付けられている。
【００４５】
このカバー２９は、中央位置に開口部２９Ｂを有しており、前記スイッチケース２１に取り付けられた状態で、その開口部２９Ｂには前記プッシュスイッチ部の駆動体７の上面が露出し、押圧操作可能になっている。つまり、駆動体７は、カバー２９で上方への移動規制をなされている。
【００４６】
以上のように本発明による複合操作型スイッチは構成され、次に動作について説明する。
【００４７】
まずプッシュスイッチ部の動作は、従来同様に、駆動体７の上面を押圧すると、可動接点６が押下されて、そのドーム形状部分が節度をともなって下方突形に弾性変形して中央接点２２Ａと接触し、端子２４Ａ，２４Ｂ間がオンする。そして、駆動体７への押圧を解除すると、可動接点６が節度をともなって元の上方突形のドーム形状に復元して中央接点２２Ａから離間し、端子２４Ａ，２４Ｂ間がオフになる。
【００４８】
次に、中点復帰式回転型スイッチ部の動作は、回転体２６の操作突部２６Ｃに上面視時計回り方向の回転力を加えると、回転体２６は環状壁２１Ａに外嵌された嵌合孔２６Ａを中心にして回転し、摺動子２７の接触部２７Ａ，２７Ｂは回転摺動されて、一方の接触部２７Ａが共通接点２３Ａ上に移り、他方の接触部２７Ｂが信号用接点２３Ｄ上に移り、摺動子２７を介して共通接点２３Ａと信号用接点２３Ｄとの間が電気的に導通し、端子２５Ａ，２５Ｄ間をオンする。この回転操作において、コイルバネ２８の一方の端部２８Ｂは、対応する回転体２６の係止用切欠き部２６Ｅの側壁により巻き方向に回転移動され、他方の端部２８Ｂはスイッチケース２１のバネ受け段部２１Ｄで弾接維持され、コイルバネ２８はトーションバネとして押縮される。
【００４９】
そして、この操作突部２６Ｃに加えていた時計回り方向の回転力を解除すると、コイルバネ２８の弾発付勢力により、前記一方の端部２８Ｂで対応する係止用切欠き部２６Ｅ側壁が押し戻されて回転体２６は元の位置まで回転復帰し、同時に摺動子２７の接触部２７Ａ，２７Ｂは共通接点２３Ａ、信号用接点２３Ｄ上から外れた元の位置に戻ってその接点間が電気的に絶縁状態となり、端子２５Ａ，２５Ｄ間がオフになる。
【００５０】
次に、操作突部２６Ｃに上面視反時計回り方向の回転力を加えると、回転体２６は嵌合孔２６Ａを中心にして回転し、摺動子２７の一方の接触部２７Ａが信号用接点２３Ｃ上に摺動し、他方の接触部２７Ｂが共通接点２３Ｂ上に摺動して、信号用接点２３Ｃと共通接点２３Ｂとの間が電気的に導通し、端子２５Ｃ，２５Ｂの間がオンする。そして、この回転操作において、コイルバネ２８の他方の端部２８Ｂは、対応する回転体２６の係止用切欠き部２６Ｅの側壁により巻き方向に移動され、一方の端部２８Ｂはスイッチケース２１のバネ受け段部２１Ｄで弾接維持され、コイルバネ２８はトーションバネとして押縮される。
【００５１】
そして同様に、その操作突部２６Ｃに加えていた反時計回り方向の回転力を解除すると、コイルバネ２８の弾発付勢力により、前記他方の端部２８Ｂで対応する係止用切欠き部２６Ｅ側壁が押し戻されて回転体２６は元の位置まで回転復帰し、同時に摺動子２７の接触部２７Ａ，２７Ｂは信号用接点２３Ｃ、共通接点２３Ｂ上から外れた元の位置に戻ってその接点間が電気的に絶縁状態となり、端子２５Ｃ，２５Ｂ間がオフに戻る。
【００５２】
このように本実施の形態によれば、プッシュスイッチ部と中点復帰式回転型スイッチ部とをそれぞれ独立して併有し、中点復帰式回転型スイッチ部は、プッシュスイッチ部の操作方向と直交する面内で回転操作が可能で、かつ中点復帰式回転型スイッチ部用の第２接点２３である共通接点２３Ａ，２３Ｂと信号用接点２３Ｃ，２３Ｄを、プッシュスイッチ部の周囲位置に同心で、しかも同一円周上に配置し、それら各接点上を摺動する摺動子２７の接触部２７Ａ，２７Ｂも前記同一円周上に分割配置したものであるので、径方向の小型化が実現された複合操作型スイッチを得ることができる。
【００５３】
また、コイルバネ２８を回転体２６の環状部２６Ｂ上に組み合わせた構成とし、従来例のようにスイッチケース２１にボス等を立設してコイルバネ２８をスイッチケース２１内底面に並べて配置しない構成である点も、径方向の小型化に寄与している。
【００５４】
そして、前記コイルバネ２８の組み込み構成であれば、回転体２６のバネ装着溝２６Ｄ内に収容状態で装着したコイルバネ２８の巻回部２８Ａの径寸法が大きいものにでき、その巻き数が略１．５巻という少ないものでも回転体２６の復帰状態などが安定するものにできる。これにより、製品の薄型化も図られたものに構成できる。
【００５５】
なお、本発明によるものは、前記に説明した構成を基として各種展開を図ることもでき、例えば、スイッチケース２１の内底面にインサート成形して配設した前記共通接点２３Ａ，２３Ｂと信号用接点２３Ｃ，２３Ｄの配置を変更して、共通接点２３Ａ，２３Ｂを内側に配し、信号用接点２３Ｃ，２３Ｄで共通接点２３Ａ，２３Ｂを挟むように配置しても良く、この配置であっても前述と同様の作用をなすものに構成することができる。また、このときには、前記共通接点２３Ａ，２３Ｂを分割配置せずとも、一つのみの配置とすればよい。
【００５６】
さらに、プッシュスイッチ部用の周辺接点２２Ｂと中点復帰式回転型スイッチ部用の共通接点２３Ａ，２３Ｂとを同じ電位で使用可能な場合であれば、それらの接点どうしを接続してあるものとしても良い。その構成では、接点用部材の歩留まりが向上して廃材を少なくすることができると共に、インサート成形されるまでの取り扱いによる接点変形等の発生も低減され、また、端子の数も削減できて配線基板へのはんだ付け管理工数も少なくすることができる。
【００５７】
なお、中点復帰式回転型スイッチ部用の共通接点と信号用接点を一対のみ配して片側の回転操作方向のみに対応させてスイッチの開閉がなされる構成としたり、片側の回転操作方向に対し複数の信号用接点を同一円周上で設けて、それらに応じた複数の回路が開閉する構成などとしてもよい。
【００５８】
また、プッシュスイッチ部の構成としても、前記以外の構成であってもよく、例えば二段動作のプッシュオンタイプのスイッチ、プッシュオフスイッチなどが構成してあってもよい。特に二段動作のプッシュオンタイプのスイッチを備えさせたものは、その中点復帰式回転型スイッチ部からの信号をズーム機能に対応させ、二段動作のプッシュオンタイプのスイッチからの信号をピント調整とシャッター機能のそれぞれに対応させるようにして機器に搭載して使用できることから、小型化が進展しているＤＳＣを始めとするカメラ機能を備えた機器に好適なものとなる。
【産業上の利用可能性】
【００５９】
本発明による複合操作型スイッチは、プッシュスイッチ部と中点復帰式回転型スイッチ部を併有し、中点復帰式回転型スイッチ部は、プッシュスイッチ部の操作方向と直交する面内で回転操作が可能で、かつ小型化、薄型化が実現された複合操作型スイッチを提供することができるという効果を有し、各種電子機器の中でも特に携帯電話機やＤＳＣなどの携帯用電子機器等に有用である。
【図面の簡単な説明】
【００６０】
【図１】本発明の一実施の形態による複合操作型スイッチの分解斜視図
【図２】同外観図
【図３】図２のＰ−Ｐ線の断面図
【図４】同スイッチケースの平面図
【図５】同回転体の平面図
【図６】従来の複合操作型スイッチの分解斜視図
【図７】同外観図
【図８】図７のＱ−Ｑ線の断面図
【図９】従来の複合操作型スイッチのスイッチケースの平面図
【符号の説明】
【００６１】
６  可動接点
７  駆動体
２１  スイッチケース
２１Ａ  環状壁
２１Ｂ  外周壁
２１Ｃ  切欠き部
２１Ｄ  バネ受け段部
２２  第１接点
２２Ａ  中央接点
２２Ｂ  周辺接点
２３  第２接点
２３Ａ，２３Ｂ  共通接点
２３Ｃ，２３Ｄ  信号用接点
２３Ｅ  連結部
２４Ａ，２４Ｂ，２５Ａ，２５Ｂ，２５Ｃ，２５Ｄ  端子
２６  回転体
２６Ａ  嵌合孔
２６Ｂ  環状部
２６Ｃ  操作突部
２６Ｄ  バネ装着溝
２６Ｅ  係止用切欠き部
２６Ｆ  係止突起
２７  摺動子
２７Ａ，２７Ｂ  接触部
２８  コイルバネ
２８Ａ  巻回部
２８Ｂ  端部
２９  カバー
２９Ａ  脚部
２９Ｂ  開口部
【図１】
0004635774.tif 000002
【図２】
0004635774.tif 000003
【図３】
0004635774.tif 000004
【図４】
0004635774.tif 000005
【図５】
0004635774.tif 000006
【図６】
0004635774.tif 000007
【図７】
0004635774.tif 000008
【図８】
0004635774.tif 000009
【図９】
0004635774.tif 000010